【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  内燃機関の排気系に設けられた排気管にＥＧＲ取り出し管を接続し、排気を取り出して前記内燃機関の吸気系にＥＧＲガスとして還流させる内燃機関の排気還流装置において、前記排気系は前記内燃機関の本体にフランジを介して取り付けられる排気マニホルドを備え、前記ＥＧＲ取り出し管を、ステーを介して前記フランジに接続し、前記ＥＧＲ取り出し管に前記ＥＧＲガスの放熱を促進するコルゲート状部を形成すると共に、前記ステーを前記コルゲート状部よりも下流で前記ＥＧＲ取り出し管に取り付けることを特徴とする内燃機関の排気還流装置。
【請求項２】  前記フランジと前記ステーを一体的に形成したことを特徴とする請求項１項記載の内燃機関の排気還流装置。
【請求項３】  前記ステーは前記フランジに溶接され、よって前記フランジとステーを一体的に形成したことを特徴とする請求項１項記載の内燃機関の排気還流装置。
【請求項４】  前記ステーは前記フランジに溶接されて前記フランジとステーを一体的に形成すると共に、前記ＥＧＲ取り出し管は、前記フランジに設けられた孔に先端が挿入され、そこに溶接されて前記フランジに取り付けられることを特徴とする請求項１項記載の内燃機関の排気還流装置。
【請求項５】  前記ＥＧＲ取り出し管は、前記内燃機関の本体との接続部位に至るまでの径が、その接続部位の径よりも大きくなるように構成されることを特徴とする請求項４項記載の内燃機関の排気還流装置。
【手続補正２】
【補正対象書類名】明細書
【補正対象項目名】０００６
【補正方法】変更
【補正の内容】
【０００６】
【発明が解決しようとする課題】
この種の内燃機関の排気還流装置にあっては、機関の振動が伝達されることからＥＧＲ取り出し管は可能な限り高い剛性を備えるのが望ましい。しかしながら、上記した特許文献１，２に記載の技術は、その点に関して何ら開示するものではなかった。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
さらに、走行時においてＥＧＲ取り出し管は高温になることから、その放熱を図ることが望ましい。しかしながら、上記した特許文献１，２に記載の技術は、その点に関しても何ら開示するものではなかった。
【手続補正５】
【補正対象書類名】明細書
【補正対象項目名】０００９
【補正方法】変更
【補正の内容】
【０００９】
従って、この発明の目的は上記した不具合を解消し、ＥＧＲガスを還流させるＥＧＲ取り出し管の剛性を高めると共に、ＥＧＲ取り出し管の放熱を図るようにした内燃機関の排気還流装置を提供することにある。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
【課題を解決するための手段】
上記の目的を達成するために、請求項１項にあっては、内燃機関の排気系に設けられた排気管にＥＧＲ取り出し管を接続し、排気を取り出して前記内燃機関の吸気系にＥＧＲガスとして還流させる内燃機関の排気還流装置において、前記排気系は前記内燃機関の本体にフランジを介して取り付けられる排気マニホルドを備え、前記ＥＧＲ取り出し管を、ステーを介して前記フランジに接続し、前記ＥＧＲ取り出し管に前記ＥＧＲガスの放熱を促進するコルゲート状部を形成すると共に、前記ステーを前記コルゲート状部よりも下流で前記ＥＧＲ取り出し管に取り付けるように構成した。
【手続補正９】
【補正対象書類名】明細書
【補正対象項目名】００１３
【補正方法】変更
【補正の内容】
【００１３】
排気系は内燃機関の本体にフランジを介して取り付けられる排気マニホルドを備え、ＥＧＲ取り出し管を、ステーを介してそのフランジに接続し、ＥＧＲ取り出し管にＥＧＲガスの放熱を促進するコルゲート状部を形成すると共に、ステーをそれよりも下流（排気系から吸気系に流れるＥＧＲガスの流れにおいて）でＥＧＲ取り出し管に取り付けるように構成したので、ステーによってＥＧＲ取り出し管の剛性を高めることができると共に、ステーを介した熱伝導によってＥＧＲ取り出し管の熱をフランジに伝達する、あるいは大気中に放熱することができる。また、ステーを短縮することができ、結果としてＥＧＲ取り出し管の剛性も高めることができる。
【手続補正１０】
【補正対象書類名】明細書
【補正対象項目名】００１４
【補正方法】変更
【補正の内容】
【００１４】
請求項２項にあっては、前記フランジと前記ステーを一体的に形成するように構成した。
【手続補正１１】
【補正対象書類名】明細書
【補正対象項目名】００１５
【補正方法】変更
【補正の内容】
【００１５】
フランジとステーを一体的に形成するように構成したので、上記の効果に加え、部品点数と組み付け工数を削減することができる。
【手続補正１２】
【補正対象書類名】明細書
【補正対象項目名】００１６
【補正方法】変更
【補正の内容】
【００１６】
請求項３項にあっては、前記ステーは前記フランジに溶接され、よって前記フランジとステーを一体的に形成するように構成した。
【手続補正１３】
【補正対象書類名】明細書
【補正対象項目名】００１７
【補正方法】変更
【補正の内容】
【００１７】
ステーはフランジに溶接され、よってフランジとステーを一体的に形成するように構成したので、上記と同様、部品点数と組み付け工数を削減することができる。
【手続補正１４】
【補正対象書類名】明細書
【補正対象項目名】００１８
【補正方法】変更
【補正の内容】
【００１８】
請求項４項にあっては、前記ステーは前記フランジに溶接されて前記フランジとステーを一体的に形成すると共に、前記ＥＧＲ取り出し管は、前記フランジに設けられた孔に先端が挿入され、そこに溶接されて前記フランジに取り付けられるように構成した。
【手続補正１５】
【補正対象書類名】明細書
【補正対象項目名】００１９
【補正方法】変更
【補正の内容】
【００１９】
ステーはフランジに溶接されてフランジとステーを一体的に形成すると共に、ＥＧＲ取り出し管は、フランジに設けられた孔に先端が挿入され、溶接されてフランジに取り付けられるように構成したので、上記と同様、部品点数と組み付け工数を削減することができる。
【手続補正１６】
【補正対象書類名】明細書
【補正対象項目名】００２０
【補正方法】変更
【補正の内容】
【００２０】
請求項５項にあっては、前記ＥＧＲ取り出し管は、前記内燃機関の本体との接続部位に至るまでの径が、その接続部位の径よりも大きくなるように構成した。
【手続補正１７】
【補正対象書類名】明細書
【補正対象項目名】００２１
【補正方法】変更
【補正の内容】
【００２１】
ＥＧＲ取り出し管は、内燃機関の本体との接続部位に至るまでの径が、その接続部位の径よりも大きくなるように構成したので、ＥＧＲ取り出し管の接続部位に至るまでの部位の外気と接する表面積が増加させられ、ＥＧＲ取り出し管の内部を通るＥＧＲガスを放熱（冷却）することができる。
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４６
【補正方法】変更
【補正の内容】
【００４６】
【発明の効果】
請求項１項にあっては、ステーによってＥＧＲ取り出し管の剛性を高めることができると共に、ステーを介した熱伝導によってＥＧＲ取り出し管の熱をフランジに伝達する、あるいは大気中に放熱することができる。また、ステーを短縮することができ、結果としてＥＧＲ取り出し管の剛性も高めることができる。
【手続補正２１】
【補正対象書類名】明細書
【補正対象項目名】００４７
【補正方法】変更
【補正の内容】
【００４７】
請求項２項にあっては、前記した効果に加え、部品点数と組み付け工数を削減することができる。
【手続補正２２】
【補正対象書類名】明細書
【補正対象項目名】００４８
【補正方法】変更
【補正の内容】
【００４８】
請求項３項にあっては、上記と同様、部品点数と組み付け工数を削減することができる。
【手続補正２３】
【補正対象書類名】明細書
【補正対象項目名】００４９
【補正方法】変更
【補正の内容】
【００４９】
請求項４項にあっては、上記と同様、部品点数と組み付け工数を削減することができる。
【手続補正２４】
【補正対象書類名】明細書
【補正対象項目名】００５０
【補正方法】変更
【補正の内容】
【００５０】
請求項５項にあっては、ＥＧＲ取り出し管の接続部位に至るまでの部位の外気と接する表面積が増加させられ、ＥＧＲ取り出し管の内部を通るＥＧＲガスを放熱（冷却）することができる。